(57)【特許請求の範囲】
【請求項１】
それぞれ、光学系からの赤外線が入射する受光部と、基板に形成された凹部の上方に前記受光部に接続部で接続された複数の梁とを備えた検出素子を、前記基板上に複数配列した赤外線検出装置において、
前記検出素子の中、中央部に位置する前記検出素子を除いて、前記受光部の受光面である表面側に形成されたシリコン窒化膜と、前記受光部の裏面側に形成されたシリコン酸化膜との応力差により前記受光部を上側に反らせる力を作用させると共に、前記検出素子の中、中央部に位置する前記検出素子を除いて、前記各受光部に接続された前記複数の梁の前記接続部によって定まる接続中点の位置を前記受光部の重心位置よりも光軸寄りにシフトさせ、かつ、そのシフト量を前記光軸からの距離が大きいほど大きくしたことを特徴とする赤外線検出装置。
【発明の詳細な説明】
【技術分野】
【０００１】
本発明は、入射赤外光を電気信号に変換する複数の赤外線検出素子を利用して被写体の温度分布を撮像する赤外線検出装置に関する。
【背景技術】
【０００２】
近年、被写体の温度分布をリアルタイムで撮像したいと言う要求が強く、２次元の赤外線検出装置の需要が高まっている。従来の赤外線検出装置では、画素を構成する赤外線検出素子２次元に配列し、その前方に赤外線を透過する材質で構成されたレンズを配し、被写体から放射される赤外光を該レンズを介して各赤外線検出素子に集光している。
【０００３】
【特許文献１】特開２００１−３５６０４６号公報
【発明の開示】
【発明が解決しようとする課題】
【０００４】
しかしながら、レンズから２次元配置された各赤外線検出素子に導かれる光は、全ての赤外線検出素子にわたって均一でなく、中央部の画素よりも周辺部の画素の光量が減少する、いわゆるコサイン４乗則による周辺減光が生じる。
【課題を解決するための手段】
【０００５】
本発明の赤外線検出装置は、それぞれ、光学系からの赤外線が入射する受光部と、基板に形成された凹部の上方に受光部に接続部で接続された複数の梁とを備えた検出素子を、基板上に複数配列した赤外線検出装置において、
検出素子の中、中央部に位置する検出素子を除いて、受光部の受光面である表面側に形成されたシリコン窒化膜と、受光部の裏面側に形成されたシリコン酸化膜との応力差により受光部を上側に反らせる力を作用させると共に、検出素子の中、中央部に位置する検出素子を除いて、各受光部に接続された複数の梁の接続部によって定まる接続中点の位置を受光部の重心位置よりも光軸寄りにシフトさせ、かつ、そのシフト量を光軸からの距離が大きいほど大きくしたことを特徴とする。
【発明の効果】
【０００６】
本発明によれば、受光面を傾斜させたり、凸状面としたり、受光部周縁に受光面を突出させることにより、赤外線受光装置の周辺部の受光素子における光量の減少を抑えることができる。
【発明を実施するための最良の形態】
【０００７】
以下、図を参照して本発明を実施するための最良の形態について説明する。
−第１の実施の形態−
図１、２は本発明による赤外線検出装置の第１の実施の形態を示す図である。図１は赤外線検出装置１の斜視図であり、（ａ）は赤外線検出装置を示したもので、（ｂ）は赤外線検出装置の画素１３を構成する赤外線検出素子を抜き出して示したものである。また、図２は梁３ａ，３ｂの形状を示すための平面図であり、受光部５が傾斜していない状態で示した。赤外線検出装置１は、赤外線検出素子（以下では画素と呼ぶことにする）を２次元的に多数配置して構成されるイメージセンサであるが、ここでは、縦５画素×横５画素の２５画素から成るものとして説明する。
【０００８】
赤外線検出装置１の各画素１１〜１５，２１〜２５，３１〜３５，４１〜４５，５１〜５５は、共通のシリコン基板上に形成されている。画素１３は、図１（ｂ）に示すように、矩形状の基枠２と、その基枠２の内側に形成された凹部空間４と、受光部５を凹部空間４上に支持する梁３ａ，３ｂと備えている。これらの構成は、画素１３に限らず、全ての画素に共通している。なお、図１（ａ）では、梁３ａ，３ｂの図示を省略した。このように、受光部５を凹部空間４上の中空に支持することで、受光部５と基枠２との間の熱分離を図っている。
【０００９】
図３は受光部５および梁３ａ，３ｂの内部構造を説明する図である。なお、ここでは、画素３３を例に示すが、他の画素に関しても梁３ａ，３ｂの形状が異なるだけで全く同じ内部構造を有している。各梁３ａ，３ｂには、サーモパイルを構成するＰ型ポリシリコン６０およびＮ型ポリシリコン６１がそれぞれ形成されている。梁３ａに形成されたＰ型ポリシリコン６０は配線６２により梁３ｂのＮ型ポリシリコン６１に接続されており、一方、梁３ａに形成されたＮ型ポリシリコン６１は配線６３により梁３ｂのＰ型ポリシリコン６０に接続されている。
【００１０】
このように、直列接続された一対のＰ型ポリシリコン６０およびＮ型ポリシリコン６１は一つのサーモカップルを形成し、梁３ａ，３ｂのそれぞれに形成されたサーモカップルを直列接続することによりサーモパイルが形成される。梁３ｂに形成されたＰ型ポリシリコン６０およびＮ型ポリシリコン６１の他端は、配線６４により接続されている。梁３ａに形成されたＰ型ポリシリコン６０およびＮ型ポリシリコン６１の他端にはコンタクト６５が形成されており、このコンタクト６５に不図示の検出回路が接続される。
【００１１】
受光部５に赤外光が入射すると、赤外光は受光部５に吸収され、赤外光の入射光量に従い受光部５の温度が上昇する。その結果、梁３ａ，３ｂに設けられたサーモパイルに、受光部５と基枠２の温度差に応じた熱起電力が発生する。すなわち、入射赤外光に比例した電圧が出力信号として得られる。なお、受光部５の受光面に、金黒等から成る赤外線吸収材を設けても良い。赤外線吸収材を設けることで、受光部５を効果的に温度上昇させることができる。
【００１２】
中央の画素３３を除くその他の画素の受光部５は、表面側にシリコン窒化膜が形成され、裏面側にシリコン酸化膜が形成されている。画素３３に関しては、表面側のシリコン窒化膜が形成されず。応力差は生じない。この表裏面の応力差によって、受光部５には上側に反るような力、すなわち受光部５が凹形状になるような力が働く。図２に示すように、画素によって梁３ａ，３ｂの形状は異なっており、それに応じて受光部５と梁３ａ，３ｂとの接続構造が異なっている。
【００１３】
例えば、画素１３では、受光部２の重心点７に対して、受光部２と梁３ａ，３ｂとの接続中点（支点）６の位置が受光面の中心（ここでは、画素３３の中心）方向にずれている。その結果、受光部５を上側に反らせるような力が働くと、梁３ａ，３ｂとの接続点６を基準として、受光部５の対角部分が反り上がることとなり、受光部５はその表面が赤外線検出装置１の受光面中心方向（すなわち、後述するレンズの光軸方向）を向くように傾斜する。なお、受光部５は傾斜するだけでなく、若干反り返っている。
【００１４】
受光部５の傾斜の方向は、受光部５の重心点７から見た接続中点６の方向（シフト方向）と一致している。また、受光部５の傾斜の程度は、重心点７に対する接続中点６のシフト量に依存しており、シフト量が大きくなるほど傾斜の程度も大きくなる。そして、本実施の形態の赤外線検出装置１では、各画素の位置に応じて、重心点７に対する接続中点６のシフト方向およびシフト量をそれぞれ設定する。
【００１５】
本実施の形態では、図１（ａ）に示すように、中央の画素３３を除いた他の画素に関して、受光部５が光軸方向に傾斜するとともに、光軸からより遠い画素ほど傾斜角度が大きくなるように、上記シフト方向およびシフト量を設定する。なお、中央の画素３３については、受光部５の中心と光軸とが一致しているので、シフト量＝０に設定して受光部５を傾斜させない。
【００１６】
図４（ａ），（ｂ）は、被写体をレンズにより赤外線検出装置１上に結像したときの、光軸上被写体からの中心光束と、光軸から離れた被写体からの周辺光束とを示す図である。図４（ａ）に示すように、光軸から離れた周辺光束は赤外線検出装置１に斜めに入射するため、中心部に比べて周辺部の明るさが低下する。これは、コサイン４乗側と呼ばれるもので、角度θのコサインの４乗に比例して低下する。
【００１７】
そこで、本実施の形態では、受光面がレンズ中心（光学系の瞳中心）方向を向くように各受光部５を傾斜させることで、この周辺減光の影響を低減するようにした。図４（ｃ）に示すように、受光部５の法線の光軸からの傾き（以下では、受光部５の傾斜角度と呼ぶ。）をθとすると、受光部５に入射する光量は、傾斜させない場合に比べて（１／ｃｏｓθ）倍となる。例えばθ＝３０度では約１５％、θ＝４５度では約４２％の入射光量増加となる。
【００１８】
なお、梁３ａ，３ｂの形状を決定する場合には、傾斜角度が上述した条件を満たすように接続中点６のシフト方向およびシフト量をそれぞれ設定する。図２から分かるように、画素３３の中心を通る光軸に対して対称な位置に配置されている画素同士は、中心に対して対称な形状となっていて、中心から遠ざかるほどシフト量が大きくなっている。その結果、光軸から遠ざかるに従って受光部５の傾斜角度を大きくすることができ、光束の入射角度に応じた周辺減光の補正が可能となる。
【００１９】
図５は、受光部５を支持する梁３ａ，３ｂの構造の変形例を示す図であり、（ａ）は第１の変形例を、（ｂ）は第２の変形例を示す。図５（ａ）に示す第１の変形例では、赤外線検出装置１は、画素１１〜１３，２１〜２３，３１〜３３の９画素から成るものとして示しており、画素２２が中央の画素となっている。ここで、受光部５に関して画素配列の周辺部側に位置する梁を符合３ｃで表し，反対側に位置する梁を符合３ｄで表すことにする。
【００２０】
図５（ａ）に示すように、梁３ｃの長さは梁３ｄよりも長く設定されているので、梁３ｃの方が変形しやすい。そのため、表裏面の応力差により反り返るような力が受光部５に発生すると、梁３ｃに近い方が持ち上がるように受光部５が傾斜する。例えば、画素１２の場合には梁３ｃ，３ｄの接続部分が図示上下方向に並んでいるので、受光部５は上辺が持ち上がるように、すなわち、光軸方向を向くように傾斜する。画素１１の場合には、梁３ｃ、３ｄの接続部分が対角線方向に並んでいるので、左上端が持ち上がるように受光部５が傾斜する。
【００２１】
さらに、画素位置が中央から周辺部に近づくに従って、梁３ｃと梁３ｄとの長さの差が大きくなるような構造とした。長さの差が大きいほど傾斜角度が大きくなるので、周辺部に近い画素ほど傾斜角が大きくなる。その結果、赤外線検出装置１に設けられた複数の受光部５に対して、図１（ａ）に示したような傾斜角を与えることができる。
【００２２】
また、図５（ｂ）に示す第２の変形例のように、中心に近い側の梁３ｆの太さを周辺部側に位置する梁３ｆよりも小さく設定し、さらに、画素位置が中央から周辺部に近づくに従って梁３ｅ，３ｆの太さの差を大きくすることにより、第１の変形例と同様の傾斜構造とすることができる。
【００２３】
［赤外線検出装置１の製造方法の説明］
次に、製造方法の概略について図を参照しながら説明する。なお、断面図に関しては、図３のＢ−Ｂ断面を示している。図６（ａ）に示す第１の工程では、シリコン基板１００の表面に、ポリシリコン層１１０をＣＶＤ等により形成する。シリコン基板１００はその基板表面が面方位（１００）となるように形成されており、その（１００）面上にポリシリコン層１１０が形成される。図６（ｂ）に示す第２の工程では、ポリシリコン層１１０の矩形状の領域１１０ａを囲む領域１１０ｂにボロンをイオン注入し、エッチングストッパを形成する。この矩形状の領域１１０ａは、後述するようにエッチング犠牲層として機能する。以下では、領域１１０ａをエッチング犠牲層と呼び、領域１１０ｂをエッチングストッパと呼ぶことにする。
【００２４】
図６（ｃ）に示す第３の工程では、エッチング犠牲層１１０ａおよびエッチングストッパ１１０ｂの上に、シリコン酸化膜の絶縁層１２０を形成する。図７（ａ）に示す第４の工程では、絶縁層１２０上にＰ型ポリシリコン６０およびＮ型ポリシリコン６１をそれぞれ形成する。例えば、絶縁層１２０上の全面にポリシリコン膜を形成し、そのポリシリコン膜にリン（Ｐ）またはヒ素（Ａｓ）をイオン注入してＮ型ポリシリコンを形成し、また、ポリシリコン膜にボロン（Ｂ）をイオン注入してＰ型ポリシリコンを形成する。そして、それらをエッチングでパターニングすることにより、Ｐ型ポリシリコン６０およびＮ型ポリシリコン６１をそれぞれ形成する。
【００２５】
図７（ｂ）に示す第５の工程では、シリコン酸化膜の層間絶縁膜１３０を形成した後、配線６２〜６４およびコンタクト６５を形成し、さらに、保護層１４０としてシリコン酸化膜を形成する。そして、図７（ｃ）に示す第６の工程では、受光部５となるシリコン窒化膜１５０を保護層１４０上に形成する。ただし、中央の画素３３に関しては、シリコン窒化膜１５０を形成しない。なお、受光部５に赤外線吸収膜を設ける場合には、この第６の工程の後に赤外線吸収膜を形成すれば良い。
【００２６】
図８（ａ）に示す第７の工程では、プラズマエッチング等による異方性エッチングにより、エッチング犠牲層１１０ａまで達するエッチングスリットＳを形成する。そして、図８（ｂ）に示す第８の工程では、ヒドラジン等のアルカリ液を用いて、エッチングスリットＳからポリシリコンのエッチング犠牲層１１０ａおよびシリコン基板１００を異方性エッチングする。
【００２７】
この異方性エッチングはエッチングストッパ１１０ｂのところでストップし、シリコン基板１００に凹部１００ａが形成される。前述したように、シリコン基板１００の表面は（１００）面となっているため、結晶性異方性エッチングにより角錐状にエッチングされ、凹部１００ａの表面はシリコン単結晶の（１１１）面となる。この凹部１００ａの上方空間が、上述した凹部空間４である。エッチングの結果、受光部５が梁３ａ，３ｂにより凹部１００ａの上方に支持される構造となると、受光部５は、表面側シリコン窒化膜の圧縮応力と裏面側シリコン酸化膜の引張応力との応力差により、図８（ｂ）の破線で示すように傾斜する。
【００２８】
−参考実施形態１−
図９は、本発明による赤外線検出装置の参考実施形態１を示す斜視図である。図９において、（ａ）は赤外線検出装置を示し、（ｂ）は赤外線検出装置の画素２２を構成する赤外線検出素子を抜き出して示したものであり、（ｃ）は受光部５と入射光束との関係を示す図である。なお、図９においても、図１と同様の構成には同一の符合を付して示した。以下では、第１の実施の形態と異なる部分を中心に説明する。
【００２９】
図９（ａ）に示すように、配列中央の画素３３を除いた他の画素には、垂直に立設する受光面５ａ，５ｂの少なくとも一方が受光部５に形成されている。画素３３を含む前後方向の列に含まれる画素１３，２３，４３，５３には受光面５ａが形成され、画素３３を含む左右方向の列に含まれる画素３１，３２，３４，３５には受光面５ｂが形成されている。その他の画素には、受光面５ａ，５ｂの両方が形成されている。なお、梁３ａ，３ｂの構造は、画素位置に関係なく同一構造となっている。
【００３０】
受光面５ａ，５ｂの高さはレンズ光軸（画素３３の中心を通る）からの位置に応じて設定されており、光軸に対して左右方向に遠ざかるにつれて受光面５ｂは高くなり、光軸に対して前後方向に遠ざかるにつれて受光面５ａは高くなっている。そのため、対角線上に並んでいる画素１１，２２，４４，５５，５１，４２，２４，１５は、受光面５ａと受光面５ｂとの高さが同一となっている。
【００３１】
中央の画素３３以外の画素では、図９（ｃ）に示すように受光部５に対して光束が斜めに入射する。しかしながら、本実施の形態では垂直な受光面５ａ，５ｂを設けたことにより、平面状の受光部５の場合には外れてしまう左側の光束が、垂直な受光面５ｂに入射するようになる。そのため、受光量の低下を抑制することができる。さらに、光軸から遠ざかるにつれて受光面５ａ，５ｂを高くするようにしているので、周辺部の画素ほど受光面の面積が大きくなり周辺減光の影響を低減することができる。
【００３２】
入射光量の増加量は、例えば、受光部５の一辺の長さをＬ、受光面５ｂの高さをＨとすると、√（Ｌ２＋Ｈ２）であり、例えばＨ／Ｌ＝０．２では２％、Ｈ／Ｌ＝０．５では１２％の入射光量増加となる。結果として、配列中央部画素の特性を維持したまま、配列周辺部画素の特性を向上させることが可能となる。なお、レンズ側に突出する受光面５ａ，５ｂは必ずしも垂直に形成されていなくても良い。
【００３３】
次に、参考実施形態１における製造方法について説明する。参考実施形態１においても、第１の実施の形態の図７（ｂ）に示す第５の工程までは共通である。その後、図１０（ａ）に示す第６の工程に進み、シリコン酸化膜の保護層１４０の上に、アルミ等から成るエッチングストッパ層２００を形成する。このエッチングストッパ層２００は基枠２，梁３ａ，３ｂ、受光部５の平面部分に対応するパターン形状になっている。
【００３４】
図１０（ｂ）に示す第７の工程では、シリコン酸化膜の絶縁層２１０を形成し、さらに、レジスト２０１を形成する。絶縁層２１０の厚さは、受光面５ａ，５ｂの高さに対応している。なお、ここでは、図９（ｂ）に示した画素２２を図示左右方向に断面した断面図を示しており、絶縁層２１０の厚さは受光面５ｂの高さに一致している。
【００３５】
図１１（ａ）に示す第８の工程では、絶縁層２１０などのシリコン酸化膜の層をドライエッチングによりエッチングする。このエッチングは、エッチングストッパ層２００の存在しない位置においてエッチング犠牲層１１０ａが露出するまで行う。エッチングストッパ層２００の存在する位置においてはエッチングストッパ層２００でストップし、レジスト２０１が形成されている位置では、絶縁層２１０はエッチングされずに残る。
【００３６】
図１１（ｂ）の第９の工程では、エッチングストッパ層２００およびレジスト２０１を硫酸等により除去した後、ヒドラジン等を用いて、エッチング犠牲層１１０ａのエッチングおよびシリコン基板１００の結晶異方性エッチングを行い、凹部１００ａを形成する。その結果、梁３ａ，３ｂによって受光部５が凹部１００ａの上方に支持され、受光部５の熱分離構造が形成される。このようにして受光部５には受光面５ａ，５ｂが形成されるが、図１１では、受光面５ｂのみを示した。
【００３７】
−参考実施形態２−
図１２は、本発明による赤外線検出装置の参考実施形態２を示す斜視図である。図１２において、（ａ）は赤外線検出装置を示し、（ｂ）は赤外線検出装置の画素１１を構成する赤外線検出素子を抜き出して示したものであり、（ｃ）は受光部５と入射光束との関係を示す図である。なお、図１２においても、図１と同様の構成には同一の符合を付して示した。以下では、第１の実施の形態と異なる部分を中心に説明する。
【００３８】
図１２（ａ）に示すように、本実施の形態では、配列中央の画素３３を除き、受光部５は、配列周辺方向に高くなるような階段状に形成されている。さらに、画素位置が配列中央から周辺に近づくに従い、階段状受光面の頂部の高さがより高くなるように段数が設定されている。
【００３９】
例えば、画素１１では左上隅が最も中央から遠いので、左上端部に向けて対角方向に高くなるように段が３段形成され、かつ、全ての段が光軸から最も遠ざかるように、左上隅に偏って配置されている。また、中央より後方（図示上方）に位置する画素１３の場合には段数が２段であり、各段が光軸から最も遠い上辺方向に偏って配置されている。なお、梁３ａ，３ｂの構造は、画素位置に関係なく同一構造となっている。
【００４０】
受光部５の形状をこのような配列周辺方向に高くなる階段状とするとともに、周辺部の画素ほど受光部５を高くしたことで、斜入射する光束に対して周辺部の画素ほど受光面積が大きくなり、周辺減光の影響を低減することができる。第２の実施の形態と同様に受光面２の一辺の長さをＬ、階段の高さをＨとすると、入射光量の増加量は√（Ｌ２＋Ｈ２）であり、例えば、Ｈ／Ｌ＝０．２では２％、Ｈ／Ｌ＝０．５では１２％の入射光量増加となる。結果として、配列中央部画素の特性を維持したまま、配列周辺部画素の特性を向上させることが可能となる。
【００４１】
次に、参考実施形態２における製造方法について説明する。なお、ここでは、段が２段形成されている画素２２を例に説明する。図１３（ａ）に示す第１の工程では、シリコン基板１００上にポリシリコンエッチング犠牲層３００を形成する。図１３（ｂ）の第２の工程では、エッチング犠牲層３００の所定位置にレジスト３１０を形成し、このレジスト３１０をマスクとしてエッチング犠牲層３００を所定深さｔだけドライエッチングする。この深さｔは、受光部５の２段目の段差と等しい。また、レジスト３１０は、受光部５の１段目の平面形状に対応した形状（矩形パターン）に形成される。
【００４２】
図１３（ｃ）に示す第３の工程では、エッチングされたエッチング犠牲層３００の所定位置にレジスト３１１を形成し、そのレジスト３１１をマスクとしてエッチング犠牲層３００を所定深さｔだけドライエッチングする。レジスト３１１は受光部５の２段目の受光面形状に対応しており、エッチング深さｔは最上段（２段目）の段差に対応している。図１４（ａ）に示す第４の工程ではレジスト３１１を除去し、さらに、エッチング犠牲層３００にエッチングストッパ３１２を形成する。エッチング犠牲層３００は、受光部５と同様の段形状となっている。
【００４３】
図１４（ｂ）に示す第５の工程では、エッチング犠牲層３００およびエッチングストッパ３１２の上に、図１０（ａ）における絶縁層１２０からシリコン酸化膜１４０までの構造と同様の構造を有する層３２０を形成する。すなわち、この層３２０は梁３ａ，３ｂや受光部５となるものであり、製造の手順は第２の実施の形態で詳細したので、ここでは省略する。図１４（ｃ）に示す第６の工程では、層３２０の上にエッチングスリット形成用のレジスト３３０を形成し、そのレジスト３３０をマスクとしてドライエッチングを行い、エッチングスリットＳを形成してエッチング犠牲層３００の一部を露出させる。
【００４４】
図１５（ａ）に示す第７の工程では、レジスト３３０を剥離する。図１５（ｂ）に示す第８の工程では、ヒドラジン等のアルカリ液を用いて、エッチングスリットＳからエッチング犠牲層３００およびシリコン基板１００を結晶異方性エッチングする。その結果、シリコン基板１００に凹部１００ａが形成され、梁３ａ，３ｂにより受光部５が凹部１００ａの上方に支持される構造が形成される。
【００４５】
［変形例］
図１６は参考実施形態２の変形例を示す斜視図であり、（ａ）は赤外線検出装置を示し、（ｂ）は画素１１を抜き出して示したもので、（ｃ）は光束との関係を示す図である。なお、図１２と同様の構成には同一の符合を付した。図１２に示した赤外線検出装置では受光部５を階段状に形成したが、図１６に示す変形例では、受光部５をピラミッド型の段形状とした。この場合も、光軸から周辺方向に離れるに従って段数が増加し、かつ、各段が光軸から遠い位置に偏って配置されている。
【００４６】
受光部５をこのような構成としたことにより、上述した参考実施形態２と同様の効果を奏することができる。なお、ピラミッド型の受光面形状を受光部５の中心点を基準とした点対称の形状とし、全画素を同一形状（頂点高さ・位置）としても良い。その場合、一定の入射光量の増加を達成することができるとともに、設計の容易化も図ることができる。
【００４７】
−参考実施形態３−
図１７は、本発明による赤外線検出装置の参考実施形態３を示す斜視図である。図１７において、（ａ）は赤外線検出装置を示し、（ｂ）は赤外線検出装置の１画素を抜き出して光束との関係を示したものである。また、図１８は、梁３ａ，３ｂの形状を示すための平面図である。図１７（ａ）に示すように、受光部５は配列中央の画素３３を除き、画素配列中心からの放射直線に対し直交方向に中心軸を有したアーチ（円筒）型に形成され、画素が配列中央から周辺に近づくに従い、受光面の曲率が大きくなると共に、受光面の頂点の位置が配列周辺部方向にシフトしている。
【００４８】
この構成により、図１７（ｂ）に示すように、配列周辺部の画素の受光面をアーチ（円筒）型に形成することで入射光量を増やすことができ、周辺減光の影響を低減することができる。入射光量の増加量は、第２および第３の実施例と同様である。受光部５をこのような上に凸のアーチ型とする場合には、受光部５の表面側（受光面側）を引張応力を有するシリコン酸化膜とし、裏面側を圧縮応力を有するシリコン窒化膜とすることにより、表裏面の応力差によって受光部５がアーチ型に変形する。
【００４９】
また、図１８と図２とを比較すると、同一位置の画素においては、梁３ａ，３ｂの構造が受光部５の重心に関して対称になっている。そのため、図１８では、図２の場合とは逆に、支点の中点６の位置に対して受光部５の重心７が光軸反対の方向にシフトしている。このような梁構造とすることにより、受光面の頂点（アーチの頂点）の位置を配列周辺部方向にシフトさせることができるとともに、配列周辺に近付くほど頂点の高さをより高くすることができる。
【００５０】
上述した本実施の形態では、以下のような作用効果を奏することができる。
（１） 光学系からの赤外線が入射する受光部５と、基板１に形成された凹部４の上方に受光部５を支持する梁３ａ，３ｂとを備えた検出素子（画素）を、基板上に複数配列した赤外線検出装置１において、基板上の光軸位置に対する検出素子（画素）の位置に応じて、受光部５の受光面を光軸の方向を向くように傾斜させたことにより、赤外線検出装置１の周辺画素における光量の低下を抑制することができる。例えば、受光面である表面側に形成された圧縮応力を有する層と裏面側に形成された引張応力を有する層とを受光部５に形成し、表裏面間の応力差により受光部５を傾けてその受光面を傾斜させるようにすれば良い。
（２）また、基板上における検出素子（画素）と光軸との距離が大きいほど傾斜の角度を大きくすることにより、赤外線の入射角度に応じた周辺減光の補正が可能となり、受光面全域にわたって光量の均一化を図ることができる。例えば、受光部の重心に対して梁の支点の中点を光軸の方向へとシフトさせるとともに、そのシフト量を基板上における検出素子と光軸との距離が大きいほど大きくすることで、傾斜の角度を周辺画素ほど大きくすることができる。
（３）傾斜の角度を周辺画素ほど大きくする方法としては、光軸に近い方の梁３ｄを他の梁３ｃより短くするとともに、それらの長さの差を基板上における検出素子（画素）と光軸との距離が大きいほど大きくする方法や、光軸に近い方の梁３ｆを他の梁３ｅより細くするとともに、それらの太さの差を基板上における検出素子（画素）と光軸との距離が大きいほど大きくする方法がある。
（４） 光学系からの赤外線が入射する受光部５と、基板１に形成された凹部４の上方に受光部５を支持する梁３ａ，３ｂとを備えた検出素子（画素）を、基板上に複数配列した赤外線検出装置１において、基板上の光軸位置に対する検出素子の位置に応じて、受光部周縁の内の光軸からより遠い領域に、光学系側に突出する受光面５ａ，５ｂを形成したことにより、受光面積が増加して受光量が増加し、周辺画素の光量低下を軽減することができる。例えば、受光面５ａ，５ｂを受光部から垂直に突出させる。また、基板上における検出素子と光軸との距離が大きいほど突出量を大きくすることで、周辺部の画素ほど受光量の改善効果が得られ、受光量の均一化を図れる。
（５）また、受光部５を階段状に形成して受光面を傾斜させるようにしても良い。さらに、階段状に形成された受光部５の段の高さを、基板上における検出素子と光軸との距離が大きいほど大きくすることで、周辺部の画素ほど受光量の改善効果が大きくなり、受光量の均一化を図れる。
（６）さらに、受光部の受光面を入射赤外線方向に盛り上がった凸状面としても良い。そして、基板上における検出素子と光軸との距離が大きいほど凸状面の曲率を大きくすることで、周辺部の画素ほど受光量の改善効果が大きくなり、受光量の均一化を図れる。また、頂点の位置を受光部中央から光軸と反対の方向にシフトさせ、そのシフト量を、基板上における検出素子と光軸との距離が大きいほど大きくすることで、周辺部の改善効果がより一層高まる。
【００５１】
上述した実施の形態では、赤外線受光素子（画素）が格子状に５×５＝２５個設けられた赤外線検出装置を例に説明したが、画素数はこれに限らずより多数であっても良いし、配列も格子状に限らず種々の配列のものに適用することができる。また、本発明の特徴を損なわない限り、本発明は上記実施の形態に何ら限定されるものではない。
【図面の簡単な説明】
【００５２】
【図１】本発明による赤外線検出装置の第１の実施の形態を示す斜視図であり、（ａ）は赤外線検出装置を示したもので、（ｂ）は赤外線検出装置の画素１３を構成する赤外線検出素子を抜き出して示したものである。
【図２】梁３ａ，３ｂの形状を示す平面図である。
【図３】受光部５および梁３ａ，３ｂの内部の構造を説明する図である。
【図４】赤外線検出装置１上の被写体光束を説明する図であり、（ａ）は周辺光束を示し、（ｂ）は中心光束を示す。
【図５】受光部５を支持する梁３ａ，３ｂの構造の変形例を示す図であり、（ａ）は第１の変形例を、（ｂ）は第２の変形例を示す。
【図６】赤外線検出装置の製造法を説明する図であり、（ａ）〜（ｃ）は第１〜第３の工程をそれぞれ示している。
【図７】赤外線検出装置の製造法を説明する図であり、（ａ）〜（ｃ）は第４〜第６の工程をそれぞれ示している。
【図８】赤外線検出装置の製造法を説明する図であり、（ａ）、（ｂ）は第７および第８の工程をそれぞれ示している。
【図９】本発明による赤外線検出装置の参考実施形態１を示す斜視図であり、（ａ）は赤外線検出装置を示し、（ｂ）は赤外線検出装置の画素２２を構成する赤外線検出素子を抜き出して示したものであり、（ｃ）は受光部５と入射光束との関係を示す図である。
【図１０】参考実施形態１の製造法を説明する図であり、（ａ）、（ｂ）は第６および第７の工程をそれぞれ示している。
【図１１】参考実施形態１の製造法を説明する図であり、（ａ）、（ｂ）は第８および第９の工程をそれぞれ示している。
【図１２】本発明による赤外線検出装置の参考実施形態２を示す斜視図であり、（ａ）は赤外線検出装置を示し、（ｂ）は赤外線検出装置の画素１１を構成する赤外線検出素子を抜き出して示したものであり、（ｃ）は受光部５と入射光束との関係を示す図である。
【図１３】参考実施形態２の製造法を説明する図であり、（ａ）〜（ｃ）は第１〜第３の工程をそれぞれ示している。
【図１４】参考実施形態２の製造法を説明する図であり、（ａ）〜（ｃ）は第４〜第６の工程をそれぞれ示している。
【図１５】参考実施形態２の製造法を説明する図であり、（ａ）、（ｂ）は第７および第８の工程をそれぞれ示している。
【図１６】参考実施形態２の変形例を示す斜視図であり、（ａ）は赤外線検出装置を示し、（ｂ）は画素１１を抜き出して示したもので、（ｃ）は光束との関係を示す図である。
【図１７】本発明による赤外線検出装置の参考実施形態３を示す斜視図であり、（ａ）は赤外線検出装置を示し、（ｂ）は赤外線検出装置の１画素を抜き出して光束との関係を示したものである。
【図１８】梁３ａ，３ｂの形状を示すための平面図である。
【符号の説明】
【００５３】
１：赤外線検出装置、２：基枠、３ａ〜３ｆ：梁、４：凹部空間、５：受光面、１１〜１５，２１〜２５，３１〜３５，４１〜４５，５１〜５５：画素、１００：シリコン基板、１００ａ：凹部、１２０：絶縁層、１３０：層間絶縁膜、１４０：保護層、１５０：シリコン窒化膜
【図１】
0004775128.tif 000002
【図２】
0004775128.tif 000003
【図３】
0004775128.tif 000004
【図４】
0004775128.tif 000005
【図５】
0004775128.tif 000006
【図６】
0004775128.tif 000007
【図７】
0004775128.tif 000008
【図８】
0004775128.tif 000009
【図９】
0004775128.tif 000010
【図１０】
0004775128.tif 000011
【図１１】
0004775128.tif 000012
【図１２】
0004775128.tif 000013
【図１３】
0004775128.tif 000014
【図１４】
0004775128.tif 000015
【図１５】
0004775128.tif 000016
【図１６】
0004775128.tif 000017
【図１７】
0004775128.tif 000018
【図１８】
0004775128.tif 000019